(57)【要約】  【課題】  ユーザが自らのニーズに対応したマッチング相手を、容易に検索することができる無線タグを用いた検索システムを提供すること。  【解決手段】  携帯電話機３のユーザは、登録端末装置５から管理サーバ１にアクセスして、他のユーザから提供されることを希望する商品又はサービスを示すデマンド情報及び他のユーザに対し提供することを希望する商品又はサービスを示すサプライ情報を含むユーザ情報を登録する。検索装置２が、各ＲＦＩＤタグ４から複数ユーザのＩＤ番号を読取った場合、当該ＩＤ番号に対応するユーザ情報どうしで、デマンド情報及びサプライ情報に基づいてマッチングを行う。マッチングが成立した場合は、検索装置２はマッチング成立に関する通知を、当該ユーザの携帯電話機３へ送信する。    【選択図】  図１
2005165617.tif 000002
【特許請求の範囲】
【請求項１】
ネットワークを介して管理サーバと検索装置とが接続され、
前記管理サーバは、ユーザを識別するユーザＩＤと当該ユーザに関する関連情報とから構成されるユーザ情報を、複数個記憶する記憶手段を備え、
前記検索装置は、
無線タグに格納されたユーザＩＤを読取るための読取り手段と、
前記読取り手段により複数のユーザＩＤの読取りが為された場合、ネットワークを介して、前記記憶手段から当該複数のユーザＩＤの各々に対応する複数のユーザ情報を検索する検索手段と、
前記検索手段により検索された前記複数のユーザ情報のうち、一のユーザ情報の前記関連情報と、他のユーザ情報の前記関連情報とが対応するか否かを判定する判定手段と、
前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段と
を備えることを特徴とする無線タグを用いた検索システム。
【請求項２】
前記関連情報は、一のユーザが他のユーザから提供されることを希望する商品又はサービスを示すデマンド情報、及び一のユーザが他のユーザに対し提供することを希望する商品又はサービスを示すサプライ情報の少なくとも１つを含み、
前記判定手段は、前記一のユーザ情報のデマンド情報が前記他のユーザ情報のサプライ情報に対応する場合には、当該一のユーザ情報の前記関連情報と当該他のユーザ情報の前記関連情報とが対応すると判定することを特徴とする請求項１に記載の無線タグを用いた検索システム。
【請求項３】
前記通知手段は、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理を実行することを特徴とする請求項１又は２に記載の無線タグを用いた検索システム。
【請求項４】
前記通知手段は、前記ユーザ情報で示される内容の一部又は全部を含む通知を、画像及び音声の少なくとも１つによって、前記ユーザ情報のユーザに通知を行うことを特徴とする請求項１乃至３のいずれかに記載の無線タグを用いた検索システム。
【請求項５】
前記記憶手段に新規に前記ユーザ情報を登録し、又は前記記憶手段に記憶された前記ユーザ情報を更新するためのユーザ情報編集手段を備えることを特徴とする請求項１乃至４のいずれかに記載の無線タグを用いた検索システム。
【請求項６】
ユーザを識別するユーザＩＤと当該ユーザに関する関連情報とから構成されるユーザ情報を、複数個記憶する記憶手段と、
無線タグに格納されたユーザＩＤを読取るための読取り手段と、
前記読取り手段によりユーザＩＤの読取りが為された場合、前記記憶手段から当該ユーザＩＤを有するユーザ情報を検索する検索手段と、
前記検索手段により検索された前記複数のユーザ情報のうち、一のユーザ情報の前記関連情報と、他のユーザ情報の前記関連情報とが対応するか否かを判定する判定手段と、
前記判定手段により、前記一のユーザ情報の前記関連情報と、前記他のユーザ情報の関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段と
を備えることを特徴とする無線タグを用いた検索装置。
【請求項７】
前記関連情報は、ユーザが提供されることを希望する商品又はサービスを示すデマンド情報及びユーザに対し提供することを希望する商品又はサービスを示すサプライ情報の少なくとも１つを含み、
前記判定手段は、前記検索された一のユーザ情報のデマンド情報が、前記他のユーザ情報のサプライ情報に対応する場合には、前記検索された一のユーザ情報の前記関連情報と、前記他のユーザ情報の前記関連情報とが対応すると判定することを特徴とする請求項６に記載の無線タグを用いた検索装置。
【請求項８】
前記記憶手段において、前記サプライ情報を有する前記ユーザ情報は商品又はサービスの提供元の位置情報を含み、
前記通知手段は、前記サプライ情報を有する前記他のユーザ情報で示される内容の一部又は全部を含む通知を、画像及び音声の少なくとも１つによって、前記デマンド情報を有する前記一のユーザ情報のユーザに通知を行い、当該通知には前記提供元の位置情報に基づく地図情報が含まれることを特徴とする請求項７に記載の無線タグを用いた検索装置。
【請求項９】
前記記憶手段に新規に前記ユーザ情報を登録し、又は、前記記憶手段に記憶された前記ユーザ情報を更新するためのユーザ情報編集手段を備えることを特徴とする請求項６乃至８のいずれかに記載の無線タグを用いた検索装置。
【請求項１０】
ネットワークを介して、無線タグに格納されたユーザＩＤを読取るための読取り手段を具備した検索装置と接続された管理サーバであって、
当該管理サーバは、
ユーザを識別するユーザＩＤと当該ユーザに関する関連情報とから構成されるユーザ情報を、複数個記憶する記憶手段と、
前記読取り手段により読取られたユーザＩＤを、前記検索装置からネットワークを介して複数の当該ユーザＩＤを受信した場合、前記記憶手段から当該受信した複数のユーザＩＤの各々に対応する複数のユーザ情報を検索する検索手段と、
前記検索手段により検索された前記複数のユーザ情報のうち、一のユーザ情報の前記関連情報と、他のユーザ情報の前記関連情報とが対応するか否かを判定する判定手段と、
前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段と
を備えることを特徴とする無線タグを用いた管理サーバ。
【請求項１１】
前記関連情報は、一のユーザが他のユーザから提供されることを希望する商品又はサービスを示すデマンド情報、及び一のユーザが他のユーザに対し提供することを希望する商品又はサービスを示すサプライ情報の少なくとも１つを含み、
前記判定手段は、前記一のユーザ情報のデマンド情報が前記他のユーザ情報のサプライ情報に対応する場合には、当該一のユーザ情報の関連情報と当該他のユーザ情報の関連情報とが対応すると判定することを特徴とする請求項１０に記載の無線タグを用いた管理サーバ。
【請求項１２】
前記通知手段は、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理を実行することを特徴とする請求項１０又は１１に記載の無線タグを用いた検索管理サーバ。
【請求項１３】
前記通知手段は、前記ユーザ情報で示される内容の一部又は全部を含む通知を、画像及び音声の少なくとも１つによって、前記ユーザ情報のユーザに通知を行うことを特徴とする請求項１０乃至１２のいずれかに記載の無線タグを用いた管理サーバ。
【請求項１４】
前記記憶手段に新規に前記ユーザ情報を登録し、又は前記記憶手段に記憶された前記ユーザ情報を更新するためのユーザ情報編集手段を備えることを特徴とする請求項１０乃至１３のいずれかに記載の無線タグを用いた管理サーバ。
【発明の詳細な説明】
【技術分野】
【０００１】
本発明は、複数ユーザの中から所望のユーザを検索するための検索システムに係り、詳細には、記憶手段に登録された複数ユーザのユーザ情報の中から無線タグを携行するユーザが自ら登録しておいたユーザ情報に対応するユーザ情報を有する他のユーザを検索するようにした検索システム、検索装置及び管理サーバに関する。
【背景技術】
【０００２】
従来、この種の検索システムとしては、ユーザがインターネット上の特定サイトにアクセスして、そのサイトが保有するデータベースの中から、自らの要求にマッチする人物や商品等を検索する検索システムが知られている。特許文献１には、ネットワーク上に求人企業データベース、求職者データベースを備え、端末装置を介して求人クライアント側と求職クライアント側から、所望の求人求職情報が検索できるようにしたシステムが開示されている。
【特許文献１】特開２００２−４１８３８号公報
【発明の開示】
【発明が解決しようとする課題】
【０００３】
しかし、上記の従来システムにおいては、求人、求職情報を検索する場合、その都度端末装置からインターネットにアクセスして、求人企業データベース又は求職者データベースの中から検索して探さなければならず、特に、ユーザが外出する場合には、その端末装置を携行する必要があり、且つ、外出先からも定期的にアクセスしなければならないという問題を有するものである。
【０００４】
本発明は、上記問題を解決するためになされたものであり、ユーザが毎回所定のデータベースにアクセスしなくても、ユーザが自らのユーザ情報に対応した他のユーザを、自動的に検索し、ユーザに報知することができる検索システムを提供することにある。
【課題を解決するための手段】
【０００５】
上記目的を達成するために、請求項１に係る発明の無線タグを用いた検索システムでは、ネットワークを介して管理サーバと検索装置とが接続され、前記管理サーバは、ユーザを識別するユーザＩＤと当該ユーザに関する関連情報とから構成されるユーザ情報を、複数個記憶する記憶手段を備え、前記検索装置は、無線タグに格納されたユーザＩＤを読取るための読取り手段と、前記読取り手段により複数のユーザＩＤの読取りが為された場合、ネットワークを介して、前記記憶手段から当該複数のユーザＩＤの各々に対応する複数のユーザ情報を検索する検索手段と、前記検索手段により検索された前記複数のユーザ情報のうち、一のユーザ情報の前記関連情報と、他のユーザ情報の前記関連情報とが対応するか否かを判定する判定手段と、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段とを備えている。
【０００６】
また、請求項２に係る発明の無線タグを用いた検索システムでは、請求項１に記載の発明の構成に加えて、前記関連情報は、一のユーザが他のユーザから提供されることを希望する商品又はサービスを示すデマンド情報、及び一のユーザが他のユーザに対し提供することを希望する商品又はサービスを示すサプライ情報の少なくとも１つを含み、前記判定手段は、前記一のユーザ情報のデマンド情報が前記他のユーザ情報のサプライ情報に対応する場合には、当該一のユーザ情報の前記関連情報と当該他のユーザ情報の前記関連情報とが対応すると判定することを特徴とする。
【０００７】
また、請求項３に係る発明の無線タグを用いた検索システムでは、請求項１又は２に記載の発明の構成に加えて、前記通知手段は、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理を実行することを特徴とする。
【０００８】
また、請求項４に係る発明の無線タグを用いた検索システムでは、請求項１乃至３のいずれかに記載の発明の構成に加えて、前記通知手段は、前記ユーザ情報で示される内容の一部又は全部を含む通知を、画像及び音声の少なくとも１つによって、前記ユーザ情報のユーザに通知を行うことを特徴とする。
【０００９】
また、請求項５に係る発明の無線タグを用いた検索システムでは、請求項１乃至４のいずれかに記載の発明の構成に加えて、前記記憶手段に新規に前記ユーザ情報を登録し、又は前記記憶手段に記憶された前記ユーザ情報を更新するためのユーザ情報編集手段を備えている。  
【００１０】
また、請求項６に係る発明の無線タグを用いた検索装置では、ユーザを識別するユーザＩＤと当該ユーザに関する関連情報とから構成されるユーザ情報を、複数個記憶する記憶手段と、無線タグに格納されたユーザＩＤを読取るための読取り手段と、前記読取り手段によりユーザＩＤの読取りが為された場合、前記記憶手段から当該ユーザＩＤを有するユーザ情報を検索する検索手段と、前記検索手段により検索された前記複数のユーザ情報のうち、一のユーザ情報の前記関連情報と、他のユーザ情報の前記関連情報とが対応するか否かを判定する判定手段と、前記判定手段により、前記一のユーザ情報の前記関連情報と、前記他のユーザ情報の関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段とを備えている。
【００１１】
また、請求項７に係る発明の無線タグを用いた検索装置では、請求項６に記載の発明の構成に加えて、前記関連情報は、ユーザが提供されることを希望する商品又はサービスを示すデマンド情報及びユーザに対し提供することを希望する商品又はサービスを示すサプライ情報の少なくとも１つを含み、前記判定手段は、前記検索された一のユーザ情報のデマンド情報が、前記他のユーザ情報のサプライ情報に対応する場合には、前記検索された一のユーザ情報の前記関連情報と、前記他のユーザ情報の前記関連情報とが対応すると判定することを特徴とする。
【００１２】
また、請求項８に係る発明の無線タグを用いた検索装置では、請求項７に記載の発明の構成に加えて、前記記憶手段において、前記サプライ情報を有する前記ユーザ情報は商品又はサービスの提供元の位置情報を含み、前記通知手段は、前記サプライ情報を有する前記他のユーザ情報で示される内容の一部又は全部を含む通知を、画像及び音声の少なくとも１つによって、前記デマンド情報を有する前記一のユーザ情報のユーザに通知を行い、当該通知には前記提供元の位置情報に基づく地図情報が含まれることを特徴とする。
【００１３】
また、請求項９に係る発明の無線タグを用いた検索装置では、請求項６乃至８のいずれかに記載の発明の構成に加えて、前記記憶手段に新規に前記ユーザ情報を登録し、又は、前記記憶手段に記憶された前記ユーザ情報を更新するためのユーザ情報編集手段を備えている。
【００１４】
また、請求項１０に係る発明の無線タグを用いた管理サーバでは、ネットワークを介して、無線タグに格納されたユーザＩＤを読取るための読取り手段を具備した検索装置と接続された管理サーバであって、当該管理サーバは、ユーザを識別するユーザＩＤと当該ユーザに関する関連情報とから構成されるユーザ情報を、複数個記憶する記憶手段と、前記読取り手段により読取られたユーザＩＤを、前記検索装置からネットワークを介して複数の当該ユーザＩＤを受信した場合、前記記憶手段から当該受信した複数のユーザＩＤの各々に対応する複数のユーザ情報を検索する検索手段と、前記検索手段により検索された前記複数のユーザ情報のうち、一のユーザ情報の前記関連情報と、他のユーザ情報の前記関連情報とが対応するか否かを判定する判定手段と、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理のうち、少なくとも１つを実行する通知手段とを備えている。
【００１５】
また、請求項１１に係る発明の無線タグを用いた管理サーバでは、請求項１０に記載の発明の構成に加えて、前記関連情報は、一のユーザが他のユーザから提供されることを希望する商品又はサービスを示すデマンド情報、及び一のユーザが他のユーザに対し提供することを希望する商品又はサービスを示すサプライ情報の少なくとも１つを含み、前記判定手段は、前記一のユーザ情報のデマンド情報が前記他のユーザ情報のサプライ情報に対応する場合には、当該一のユーザ情報の関連情報と当該他のユーザ情報の関連情報とが対応すると判定することを特徴とする。
【００１６】
また、請求項１２に係る発明の無線タグを用いた管理サーバでは、請求項１０又は１１に記載の発明の構成に加えて、前記通知手段は、前記判定手段により、前記一のユーザ情報の前記関連情報と前記他のユーザ情報の前記関連情報とが対応すると判定された場合、当該他のユーザ情報を当該一のユーザ情報のユーザへ通知する処理、及び当該一のユーザ情報を当該他のユーザ情報のユーザへ通知する処理を実行することを特徴とする。
【００１７】
また、請求項１３に係る発明の無線タグを用いた管理サーバでは、請求項１０乃至１２のいずれかに記載の発明の構成に加えて、前記通知手段は、前記ユーザ情報で示される内容の一部又は全部を含む通知を、画像及び音声の少なくとも１つによって、前記ユーザ情報のユーザに通知を行うことを特徴とする。
【００１８】
また、請求項１４に係る発明の無線タグを用いた管理サーバでは、請求項１０乃至１３のいずれかに記載の発明の構成に加えて、前記記憶手段に新規に前記ユーザ情報を登録し、又は前記記憶手段に記憶された前記ユーザ情報を更新するためのユーザ情報編集手段を備えている。
【発明の効果】
【００１９】
請求項１に係る発明の無線タグを用いた検索システムでは、検索装置が複数のＩＤ番号を無線タグから読取ると、当該複数のユーザＩＤの各々に対応するユーザ情報どうしでマッチングを行って、マッチングが成立した場合には、当該マッチング成立したユーザ情報のユーザに対してマッチング成立に関する通知が送信されるため、ユーザは近傍のマッチング成立相手の存在を確実に認知することができる。
【００２０】
また、請求項２に係る発明の無線タグを用いた検索システムでは、請求項１に記載の発明の効果に加え、ユーザ情報の関連情報に含まれるデマンド情報とサプライ情報とによってマッチングを実行するため、需要者側のユーザは自らの需要（デマンド）に対応する提供（サプライ）が可能な他のユーザの存在を認知することができる一方、提供者側のユーザは自らの提供（サプライ）に対応する需要（デマンド）がある他のユーザの存在を認知することができる。
【００２１】
また、請求項３に係る発明の無線タグを用いた検索システムでは、請求項１又は２に記載の発明の効果に加え、マッチング成立したユーザの双方にマッチング成立に関する通知するので、各ユーザは近傍のマッチング成立相手の存在を確実に認知することができる。
【００２２】
また、請求項４に係る発明の無線タグを用いた検索システムでは、請求項１乃至３のいずれかに記載の発明の効果に加え、マッチング成立に関する通知はユーザ情報で示される内容に基づいて画像及び音声の少なくとも１つで行われるため、ユーザはマッチング成立した事実とともに、マッチング成立した内容を確実に認知することができる。
【００２３】
また、請求項５に係る発明の無線タグを用いた検索システムでは、請求項１乃至４のいずれかに記載の発明の効果に加え、マッチングを実行するために必要なユーザ情報をユーザが登録又は更新するためのユーザ情報編集手段を設けたので、ユーザは自らニーズに合ったマッチングが行われるようにユーザ情報を登録又は更新することができる。
【００２４】
また、請求項６に係る発明の無線タグを用いた検索装置では、検索装置がＩＤ番号を無線タグから読取ると、当該ユーザＩＤに対応する一のユーザ情報と他のユーザ情報とでマッチングを行って、マッチングが成立した場合には、当該マッチング成立したユーザ情報のユーザに対してマッチング成立に関する通知が送信されるため、ユーザは近傍のマッチング成立相手の存在を確実に認知することができる。
【００２５】
また、請求項７に係る発明の無線タグを用いた検索装置では、請求項６に記載の発明の効果に加え、一のユーザ情報の関連情報に含まれるデマンド情報と他のユーザ情報の関連情報に含まれるサプライ情報とによってマッチングを実行するため、ユーザは自らの需要（デマンド）に対応する提供（サプライ）が可能な商品又はサービスの存在を認知することができる。
【００２６】
また、請求項８に係る発明の無線タグを用いた検索装置では、請求項７に記載の発明の効果に加え、マッチング成立に関する通知はユーザ情報で示される内容に基づいて画像及び音声の少なくとも１つで行われるとともに、当該通知にはマッチング成立した商品又はサービスの提供元の位置を示す地図情報が含まれるため、ユーザはマッチング成立した事実とマッチング成立した内容を確実に認知することができることに加え、マッチング成立した商品又はサービスの提供元の位置を知ることができる。
【００２７】
また、請求項９に係る発明の無線タグを用いた検索装置では、請求項６乃至８のいずれかに記載の発明の効果に加え、マッチングを実行するために必要なユーザ情報をユーザが登録又は更新するためのユーザ情報編集手段を設けたので、ユーザは自らニーズに合ったマッチングが行われるようにユーザ情報を登録又は更新することができる。
【００２８】
また、請求項１０に係る発明の無線タグを用いた管理サーバでは、管理サーバが複数のＩＤ番号を検索装置から受信すると、当該複数のユーザＩＤの各々に対応するユーザ情報どうしでマッチングを行って、マッチングが成立した場合には、当該マッチング成立したユーザ情報のユーザに対してマッチング成立に関する通知が送信されるため、ユーザは遠方のマッチング成立相手の存在を確実に認知することができる。
【００２９】
また、請求項１１に係る発明の無線タグを用いた管理サーバでは、請求項１０に記載の発明の効果に加え、ユーザ情報の関連情報に含まれるデマンド情報とサプライ情報とによってマッチングを実行するため、需要者側のユーザは自らの需要（デマンド）に対応する提供（サプライ）が可能な他のユーザの存在を認知することができる一方、提供者側のユーザは自らの提供（サプライ）に対応する需要（デマンド）がある他のユーザの存在を認知することができる。
【００３０】
また、請求項１２に係る発明の無線タグを用いた管理サーバでは、請求項１０又は１１に記載の発明の効果に加え、マッチング成立したユーザの双方にマッチング成立に関する通知をするので、各ユーザは遠方のマッチング成立相手の存在を確実に認知することができる。
【００３１】
また、請求項１３に係る発明の無線タグを用いた管理サーバでは、請求項１０乃至１２のいずれかに記載の発明の効果に加え、マッチング成立に関する通知はユーザ情報で示される内容に基づいて画像及び音声の少なくとも１つで行われるため、ユーザはマッチング成立した事実とともに、マッチング成立した内容を確実に認知することができる。
【００３２】
また、請求項１４に係る発明の無線タグを用いた管理サーバでは、請求項１０乃至１３のいずれかに記載の発明の効果に加え、マッチングを実行するために必要なユーザ情報をユーザが登録又は更新するためのユーザ情報編集手段を設けたので、ユーザは自らニーズに合ったマッチングが行われるようにユーザ情報を登録又は更新することができる。
【発明を実施するための最良の形態】
【００３３】
以下、本発明の「第１の実施の形態」における、無線タグを用いた検索システムを、図面を参照して説明する。まず、図１，図２を参照して、「第１の実施の形態」における、無線タグを用いた検索システムの全体の構成について説明する。図１は、「第１の実施の形態」における、無線タグを用いた検索システムの全体概念図である。図２は、「第１の実施の形態」における、無線タグを用いた検索システムを構成するＲＦＩＤタグ４と、その貼付場所の具体例を示す図である。
【００３４】
図１に示すように、本発明の検索システム全体を管理するために設けられている管理サーバ１は、インターネット８を介して登録端末装置５と接続され、また、インターネット９を介して検索装置２と接続されている。
【００３５】
登録端末装置５は、ユーザが他のユーザからの提供を希望するサービスや商品に関するデマンド情報と、当該ユーザが他のユーザに提供したいサービスや商品に関するサプライ情報とを含むユーザ情報を、管理サーバ１において登録又は更新するための端末である。なお、登録端末装置５は、有効に接続できれば専用回線や無線回線等で管理サーバ１と接続されてもよい。この登録端末装置５としては、携帯電話機、パーソナルコンピュータ、専用端末等の各種の形態が可能である。すなわち、登録端末装置５は、管理サーバ１に有効に接続でき、かつ、管理サーバ１において有効にユーザ情報を登録する機能を具備すれば、その形態は問わない。なお、図示しないが、登録端末装置５は複数設けられており、それぞれがインターネット８を介して管理サーバ１と接続されており、ユーザはいずれの登録端末装置５によってもユーザ情報の登録又は更新が可能である。
【００３６】
また、検索装置２は、当該検索装置２から所定範囲の検索エリア内（図で示す点線の内側）においてＲＦＩＤタグ４（図２参照）と無線通信を行って、ＲＦＩＤタグ４のＩＤ番号を読取る。検索装置２は、複数のＲＦＩＤタグ４のＩＤ番号を読取った場合は、当該読取ったＩＤ番号のユーザ情報同士でマッチング処理を行い、マッチングが成立した場合には、そのマッチングが成立した各ユーザに対し、その旨通知するものである。検索装置２は、「第１の実施の形態」においてはインターネット９を介して管理サーバ１に接続されているが、有効に接続できれば、専用回線や無線回線等でもよい。なお、検索装置２を複数設けて、それぞれがインターネット９を介して管理サーバ１と接続され、各検索装置２がそれぞれの検索エリア内においてＲＦＩＤタグ４と無線通信を行うようにしてもよい。
【００３７】
また、各ユーザが携帯するＲＦＩＤタグ４は、各ユーザが携帯する携帯電話機３に貼付されている。携帯電話機３（図２参照）は検索装置２からのマッチング成立の通知を受信してユーザに報知するものであるが、その構成は市販されている規格化された携帯電話と同じである。すなわち、携帯電話機３は検索装置２からのマッチング成立の通知を受信してユーザに報知することができれば、ＰＤＡ，ノートＰＣ，ポケットベル等の他の携帯端末装置でも構わない。また、この携帯電話機３にＲＦＩＤタグ４が貼付されているのは、ユーザの携帯の利便性を考慮したものであって、携帯電話機３とＲＦＩＤタグ４との機能に直接的な関係がある訳ではない。よって、ユーザは携帯電話機３とＲＦＩＤタグ４とを分けて携帯していてもよい。なお、図１は、検索装置２の検索エリア内に、ＲＦＩＤタグ４ａが貼付された携帯電話機３ａを携帯するユーザＡと、ＲＦＩＤタグ４ｂが貼付された携帯電話機３ｂを携帯するユーザＢとが存在していることを示す。以下の説明では、ユーザがユーザＡである場合を例にして説明する。
【００３８】
図２に示すように、携帯電話機３は、送話用のマイク３１と、受話用のスピーカ３２と、表示用の液晶であるＬＣＤ３３と、ボタンスイッチを備えたキー３４と、基地局との間で電波を授受して無線通信を実行するアンテナ３５とを備えている。また、携帯電話機３の正面図における下端にＲＦＩＤタグ４が粘着シール等で付着されている。もちろん、ＲＦＩＤタグ４の付着位置は図２に示す位置に限られず、また、携帯電話機３にＲＦＩＤタグ４が内蔵されていてもよい。また、先述のように、ユーザは携帯電話機３とＲＦＩＤタグ４とを分けて携帯してもよい。
【００３９】
ところで、ユーザはインターネットや郵送によって、本検索システムのサービス管理会社へＲＦＩＤタグ４の発行の申し込みを行う。この申し込みを受けたサービス管理会社がＲＦＩＤタグ４を発行してユーザへ郵送等することで、ユーザはＲＦＩＤタグ４を入手するものとする。なお、ＲＦＩＤタグ４には、少なくとも各ＲＦＩＤタグ４を識別するために割り振られたユニークな番号であるＩＤ番号が記憶されている。
【００４０】
次に、図３乃至図６を参照して、「第１の実施の形態」における、無線タグを用いた検索システムを構成する管理サーバ１，検索装置２，ＲＦＩＤタグリーダ２４，ＲＦＩＤタグ４の電気的構成について説明する。図３は、「第１の実施の形態」における、管理サーバ１の電気的構成を示すブロック図である。図４は、「第１の実施の形態」における、検索装置２の電気的構成を示すブロック図である。図５は、「第１の実施の形態」における、ＲＦＩＤタグリーダ２４の電気的構成を示すブロック図である。図６は、「第１の実施の形態」における、ＲＦＩＤタグ４の電気的構成を示すブロック図である。
【００４１】
図３に示すように、管理サーバ１には、管理サーバ１の制御を司るＣＰＵ１０が設けられ、ＣＰＵ１０には、各種のデータを一時的に記憶するＲＡＭ１１と、ＢＩＯＳ等を記憶したＲＯＭ１２と、データの受け渡しの仲介を行うＩ／Ｏインターフェース１３とが接続されている。Ｉ／Ｏインターフェース１３には、インターネットを介して検索装置２および登録端末装置５と接続するための通信制御を行う通信制御インターフェース１５が接続されている。また、Ｉ／Ｏインターフェース１３には、ハードディスク装置１６が接続され、当該ハードディスク装置１６は、ユーザ情報を記憶するマッチングＤＢ６と、ＣＰＵ１０で実行されるプログラムを記憶した処理プログラム部１４とが設けられている。処理プログラム部１４には、管理サーバ１をマッチングＤＢ６の操作・制御のためのＳＱＬサーバとして機能させるためのプログラム（図示しない）や、このＳＱＬサーバ機能を利用して、マッチングＤＢ６においてユーザ情報の登録又は更新を実行する登録処理プログラム７ａの他、各種の制御プログラムが記憶されている。なお、本発明の検索システムの導入時には、これらの制御プログラムは、図示しないＣＤ−ＲＯＭ等からハードディスク装置１６にセットアップされて、処理プログラム部１４として記憶される。このとき同時に、マッチングＤＢ６として機能する記憶エリアがハードディスク装置１６内に設けられる。
【００４２】
また、図４に示すように、検索装置２には、検索装置２の制御を司るＣＰＵ２０が設けられ、ＣＰＵ２０には、各種のデータを一時的に記憶するＲＡＭ２１と、ＢＩＯＳ等を記憶したＲＯＭ２２と、データの受け渡しの仲介を行うＩ／Ｏインターフェース２３とが接続されている。Ｉ／Ｏインターフェース２３には、インターネットを介して管理サーバ１と接続するための通信制御を行う通信制御インターフェース２６が接続されている。また、Ｉ／Ｏインターフェース２３には、ハードディスク装置２８が接続され、当該ハードディスク装置２８には、ＣＰＵ２０で実行されるプログラムを記憶した処理プログラム部２７が設けられている。処理プログラム部２７には、ユーザ情報のマッチング処理を実行するマッチング処理プログラム７ｂと、マッチングが成立した場合には該当するユーザにマッチング成立の通知を実行する通知処理プログラム７ｃとの他、各種の制御プログラムが記憶されている。なお、本発明の検索システムの導入時には、これらの制御プログラムは、図示しないＣＤ−ＲＯＭ装置等からハードディスク装置２８にセットアップされて、処理プログラム部２７として記憶されるようになっている。
【００４３】
また、Ｉ／Ｏインターフェース２３には、近傍のＲＦＩＤタグ４と無線通信を行ってＲＦＩＤタグ４に記憶された情報を読取るＲＦＩＤタグリーダ２４と、ユーザに対してマッチング成立を通知するために携帯電話機３と無線通信を行う通信制御部２９とが接続されている。また、ＲＦＩＤタグリーダ２４は、ＲＦＩＤタグ４との通信を仲介するＲＦＩＤタグリーダ用アンテナ２５と接続されている。通信制御部２９は、携帯電話機３との無線通信を仲介する携帯電話用アンテナ３０に接続されている。
【００４４】
また、検索装置２のＲＯＭ２２には、当該検索装置２に固有の識別番号である検索装置ＩＤ番号があらかじめ記憶されている。検索装置２が管理サーバ１へデータやコマンドを送信する時は、送信するデータ等にこの検索装置ＩＤ番号を付与して送信する。これにより、管理サーバ１はデータ送信元やコマンド要求元の検索装置２を認識することができる。そのため、管理サーバ１は、返信データ等を確実に送信元等の検索装置２へ返信することができる。
【００４５】
また、図５に示すように、ＲＦＩＤタグリーダ２４は、ＲＦＩＤタグリーダ２４の全体の駆動を制御するための制御回路２０１と、ＲＦＩＤタグ４へ送信する信号やＲＦＩＤタグ４より受信する信号に関する処理を行う信号処理回路２０２とを備える。制御回路２０１及び信号処理回路２０２は、検索装置２のＩ／Ｏインターフェース２３（図４参照）と接続されて、検索装置２のＣＰＵ２０等と情報の授受が可能に構成されている。そして、ＲＦＩＤタグ４からの情報の読み出し時には、ＣＰＵ２０から読み出し命令がＲＦＩＤタグリーダ２４へ伝達され、ＲＦＩＤタグリーダ２４が読取った情報がＲＡＭ２１へ記憶されて、ＣＰＵ２０によって処理可能となっている。
【００４６】
詳細には、ＲＦＩＤタグリーダ２４は、ＲＦＩＤタグ４に対して信号を送信する送信部２１０と、そのＲＦＩＤタグ４からの反射波を受信する受信部２１２とから成り、その送信部２１０は、ＲＦＩＤタグ４に命令を伝達するための搬送波を発生させる搬送波発生部２１４と、信号処理回路２０２から供給される信号に基づいて搬送波発生部２１４により発生させられた搬送波を変調する搬送波変調部２２０と、その搬送波変調部２２０により変調された変調波を増幅する変調波増幅部として機能する送信アンプ２２２とを、備えて構成されている。搬送波発生部２１４により発生させられる搬送波は、好適には、周波数９００ＭＨＺから２．４ＧＨＺとされる。送信アンプ２２２の出力は、送受分離器２２４を介してＲＦＩＤタグリーダ用アンテナ２５から出力されて、送信信号としてＲＦＩＤタグ４に送信される。
【００４７】
一方、ＲＦＩＤタグリーダ用アンテナ２５により受信されたＲＦＩＤタグ４からの反射波は、送受分離器２２４を介して受信部２１２に入力されて、反射波を増幅する反射波増幅部として機能する受信アンプ２２１に入力される。その受信部２１２は、ＲＦＩＤタグリーダ用アンテナ２５により受信されたＲＦＩＤタグ４からの反射波と搬送波発生部２１４により発生させられた搬送波とを掛け合わせる第１ミキサ２２６と、その第１ミキサ２２６の出力から必要な帯域の信号のみを取り出すための第１バンドパスフィルタ２２７と、その第１バンドパスフィルタ２２７の出力を増幅して第１リミッタ２３０に供給する第１アンプ２２８とを備える。
【００４８】
また、搬送波発生部２１４により発生させられた搬送波の位相を９０°ずらす位相変換器２４０を備え、位相変換器２４０により位相がずらされた搬送波とＲＦＩＤタグリーダ用アンテナ２５により受信されたＲＦＩＤタグ４の反射波とを掛け合わせる第２ミキサ２３２と、その第２ミキサ２３２から必要な帯域の信号のみを取り出すための第２バンドパスフィルタ２３３と、その第２バンドパスフィルタ２３３の出力を増幅して第２リミッタ２３６に供給する第２アンプ２３４とを備える。
【００４９】
第１リミッタ２３０から出力される信号及び第２リミッタ２３６から出力される信号は、信号処理回路２０２に入力されて処理される。また、第１アンプ２２８及び第２アンプ２３４からの出力信号はＲＳＳＩ（Ｒｅｃｉｅｖｅｄ  Ｓｉｇｎａｌ  Ｓｔｒｅｎｇｔｈ  Ｉｎｄｉｃａｔｏｒ）２３８にも入力され、それらの信号の強度を示す信号ＲＳＳＩが信号処理回路２０２に入力されるようになっている。すなわち、「第１の実施の形態」のＲＦＩＤタグリーダ２４では、いわゆるＩ−Ｑ直交復調によりＲＦＩＤタグ４からの反射波の復調が行われて、ＲＦＩＤタグ４からの情報を取得する。
【００５０】
また、ＲＦＩＤタグリーダ２４は、不特定多数のＲＦＩＤタグ４の存在を効率よく調べるための手法であるアンチコリージョンアルゴリズムによって、複数のＲＦＩＤタグ４からの同時の返信を効率的に回避しながら、搬送波の送信による問い合わせを行っている。これにより、ＲＦＩＤタグリーダ２４の検索エリア内に存在する複数のＲＦＩＤタグ４からの情報の読取りを行うものである。
【００５１】
このような構成によって、ＲＦＩＤタグリーダ２４は、ＲＦＩＤタグ４と無線通信を行って、ＲＦＩＤタグ４からの情報の読取りを行うものである。すなわち、ＲＦＩＤタグリーダ２４は、制御回路２０１及び信号処理回路２０２により一定間隔で供給される所定の問い合わせ信号に基づいて搬送波を送出し、ＲＦＩＤタグ４から返送される反射波を信号処理回路２０２にて復調して、ＲＦＩＤタグ４からの情報を取得できればよい。
【００５２】
また、図６に示すように、ＲＦＩＤタグ４は、ＲＦＩＤタグリーダ用アンテナ２５と通信を行うアンテナ部４１と、そのアンテナ部４１により受信された搬送波を整流する整流部４２と、その整流部４２により整流された搬送波のエネルギを蓄積するための電源部４３と、アンテナ部４１により受信された搬送波からクロック信号を抽出して制御部４６に供給するクロック抽出部４４と、所定の情報信号を記憶し得る情報記憶部として機能するメモリ部４５と、アンテナ部４１に接続された変復調部４６と、整流部４２、クロック抽出部４４、及び変復調部４６等を介してＲＦＩＤタグ４の作動を制御するための制御部４７とを備えて構成されている。この制御部４７は、ＲＦＩＤタグリーダ２４と通信を行うことにより上記メモリ部４５に所定の情報を記憶する制御や、アンテナ部４１により受信された搬送波を変復調部４６においてメモリ部４５に記憶された情報信号に基づいて変調したうえで反射波としてアンテナ部４１から反射返信する制御等の基本的な制御を実行する。
【００５３】
このような構成によって、ＲＦＩＤタグ４はＲＦＩＤタグリーダ２４と無線通信を行って、ＲＦＩＤタグリーダ２４への情報の返信を行うものである。すなわち、ＲＦＩＤタグ４は、ＲＦＩＤタグリーダ２４から一定間隔で送信される問い合わせの搬送波を受信したら、メモリ部４５に記憶する情報を反射波としてアンテナ部４１から反射返信することができればよい。
【００５４】
次に、「第１の実施の形態」における、無線タグを用いた検索システムの動作を、図７乃至図１３を参照しながら説明する。図７は、「第１の実施の形態」における、管理サーバ１におけるユーザ情報登録処理のフローチャートを示す図である。図８は、「第１の実施の形態」における、登録端末装置５において表示される画面の一例である。図９は、「第１の実施の形態」における、管理サーバ１のマッチングＤＢ６におけるデータ構成の概念図である。図１０は、「第１の実施の形態」における、検索装置２におけるマッチング処理のメインフローチャートを示す図である。図１１は、「第１の実施の形態」における、マッチング実行処理（Ｓ５）の詳細を示すフローチャートを示す図である。図１２は、「第１の実施の形態」における、マッチング通知処理（Ｓ７）の詳細を示すフローチャートを示す図である。図１３は、「第１の実施の形態」における、携帯電話機３のＬＣＤ３３に表示される画面の一例である。図１４は、「第１の実施の形態」における、携帯電話機３のＬＣＤ３３に表示される画面の他の一例である。
【００５５】
図７に示すユーザ情報登録処理は、ＲＦＩＤタグ４を有するユーザが、登録端末装置５からインターネット８を介して管理サーバ１にアクセスし、管理サーバ１が登録端末装置５からユーザ情報の登録又は更新の要求を受け付けた場合に開始される。
【００５６】
管理サーバ１において、まず、登録又は更新するためのユーザ情報を記入するためのユーザ情報登録画面が、要求元である登録端末装置５に送信される（Ｓ１０１）。その後、登録端末装置５からユーザ情報が記入されたユーザ情報登録画面を受け付けて、ユーザ情報の登録又は更新がある場合（Ｓ１０２：ＹＥＳ）、ユーザ情報登録画面において未記入欄があるとか不正な書式の記入がある等のエラー項目がなければ（Ｓ１０３：ＮＯ）、登録端末装置５においてユーザ情報登録画面に記入されたユーザ情報に基づいて、マッチングＤＢ６が登録又は更新される（Ｓ１０４）。一方、Ｓ１０３においてエラー項目がある場合は（Ｓ１０３：ＹＥＳ）、所定のエラー処理を実行する（Ｓ１０５）。例えば、ユーザ情報の登録又は更新ができない旨とその理由を示したエラー画面を、登録端末装置５に送信する等である。なお、ユーザ情報の登録又は更新がない場合（Ｓ１０２：ＮＯ）は、本処理を終了する。
【００５７】
Ｓ１０１において送信されたユーザ情報登録画面は、登録端末装置５において図示しないディスプレイ等に表示される。そして、ユーザはこのユーザ情報登録画面において、登録又は更新するユーザ情報を記入する。ユーザ情報が記入されたユーザ情報登録画面８００は、図８に示すような内容となっている。図８ではユーザ情報として、当該ユーザが有するＲＦＩＤタグ４に固有のＩＤ番号８０１と、当該ユーザが他のユーザからの提供を希望するサービスや商品に関するデマンド情報８０２と、当該ユーザが他のユーザに提供したいサービスや商品に関するサプライ情報８０３と、当該ユーザの携帯電話機３に固有の電話番号８０４及びメールアドレス８０５と、当該ユーザの名前８０６とをデータ項目として有する。登録端末装置５におけるユーザは、ユーザ情報登録画面８００に図８に示すようにユーザ情報を記入したら、当該ユーザ情報を登録端末装置５へ送信する送信ボタン８０７を、登録端末装置５において選択する。また、ユーザ情報の登録又は更新を中断する場合には、キャンセルボタン８０８を選択する。
【００５８】
また、図９に示すように、複数のユーザ情報がレコードとして記憶されているマッチングＤＢ６は、データ項目としてＲＦＩＤタグ４に固有のＩＤ番号６１を備える。また当該ユーザ情報の関連情報として、当該ＲＦＩＤタグ４を有するユーザが他のユーザからの提供を希望するサービスや商品に関するデマンド情報６２と、当該ＲＦＩＤタグ４を有するユーザが他のユーザに提供したいサービスや商品に関するサプライ情報６３と、当該ＲＦＩＤタグ４を有するユーザの携帯電話機３に固有の電話番号６４及びメールアドレス６５と、当該ＲＦＩＤタグ４を有するユーザの名前６６とをデータ項目として有する。
【００５９】
具体的には、ユーザ情報登録処理のＳ１０４において、ユーザ情報登録画面８００に示す内容でユーザ情報が登録又は更新されると、管理サーバ１のマッチングＤＢ６は図９に示すレコード６０１のように登録又は更新される。すなわち、ユーザ情報登録画面８００に示すユーザ情報であるＩＤ番号８０１，デマンド情報８０２，サプライ情報８０３，電話番号８０４，メールアドレス８０５，名前８０６が、それぞれマッチングＤＢ６のＩＤ番号６１，デマンド情報６２，サプライ情報６３，電話番号６４，メールアドレス６５，名前６６として登録又は更新されて、レコード６０１として記憶されることになる。なお、マッチングＤＢ６に同一のＩＤ番号６１のレコードが存在しない場合は新規に当該ユーザ情報のレコードが登録されるが、同一のＩＤ番号６１のレコードが存在する場合は、当該ユーザ情報の内容に基づいてレコードが更新されることになる。また、図９に示すマッチングＤＢ６において、マッチングＤＢ６に登録されているレコード６０２は、図１に示すユーザＢによって登録されたものとして、以下、説明を続ける。
【００６０】
以上のようにして、マッチングＤＢ６にユーザ情報が登録又は更新される。その後、ユーザが外出等する際には、図２に示すように携帯電話機３にＲＦＩＤタグ４を貼付したものを携帯する。そして、図１に示すように、ユーザが検索装置２の検索エリア内に入ると、検索装置２のＲＦＩＤタグリーダ２４とＲＦＩＤタグ４とが無線通信を自動的に行う。そして、ＲＦＩＤタグリーダ２４が複数のＲＦＩＤタグ４からＩＤ番号を読取ると、検索装置２においては当該読取った複数のＩＤ番号に各々対応するユーザ情報を検索して、検索したユーザ情報の間でマッチング処理を実行する。その結果、マッチングが成立した場合には、その旨をユーザの携帯電話機３へ通知する。これらの処理の詳細を、以下、説明する。
【００６１】
図１０に示すように、検索装置２においては、まず、ＲＦＩＤタグリーダ２４によって検索エリア内のＲＦＩＤタグ４をサーチさせて、ＲＦＩＤタグ４からそのＩＤ番号を読取らせる（Ｓ１）。このサーチ処理は、予め定められた一定期間ごとに実行されるものとする。それにより、複数のＲＦＩＤタグ４から各々のＩＤ番号が読取られた結果、複数（ｎ）のＩＤ番号が読取られた場合は（Ｓ２：ＹＥＳ）、ＲＡＭ２１（図４参照）に記憶された変数ｉ＝１に設定する（Ｓ３）。また、ＲＡＭ２１に記憶された変数ｊ＝ｉ+１に設定する（Ｓ４）。そして、ＩＤ番号（ｉ）のユーザ情報とＩＤ番号（ｊ）のユーザ情報とでマッチング実行処理を行う（Ｓ５）。その結果、マッチングが成立した場合は（Ｓ６：ＹＥＳ）、マッチングしたユーザの携帯電話機３に対しマッチング成立の通知を行うマッチング通知処理を実行する（Ｓ７）。
【００６２】
一方、マッチングが成立しなかった場合（Ｓ６：ＮＯ）又はマッチング通知処理を実行した後（Ｓ７）は、変数ｊをインクリメントし（Ｓ８）、変数ｊがＳ２において受信したＩＤ番号の数量（ｎ）よりも大きいか否かを判定する（Ｓ９）。変数ｊが、ＩＤ番号の数量（ｎ）よりも大きくない場合は（Ｓ９：ＮＯ）、Ｓ５へ戻ってマッチング実行処理を行う。一方、変数ｊが、ＩＤ番号の数量（ｎ）よりも大きい場合は（Ｓ９：ＹＥＳ）、変数ｉをインクリメントし（Ｓ１０）、変数ｉがＩＤ番号の数量（ｎ）よりも大きいか否かを判定する（Ｓ１１）。変数ｉが、ＩＤ番号の数量（ｎ）よりも大きくない場合は（Ｓ１１：ＮＯ）、Ｓ４へ戻って変数ｊに変数ｉに１加算した値を設定して、Ｓ５のマッチング実行処理を行う。一方、変数ｉが、ＩＤ番号の数量（ｎ）よりも大きい場合は（Ｓ１１：ＹＥＳ）、Ｓ２で受信した複数（ｎ）のＩＤ番号の全ての組み合わせについてＳ５のマッチング実行処理を実行したことになるため、本処理を終了する。その後は、所定期間の経過後、再び図１０に示すマッチング処理が実行されて、ＲＦＩＤタグリーダ２４によって検索エリア内のＲＦＩＤタグ４をサーチさせるサーチ処理（Ｓ１）が開始されることになる。なお、Ｓ２において、ＩＤ番号が読取られない場合やＩＤ番号が１つのみ読取られた場合も（Ｓ２：ＮＯ）、本処理を終了して、所定期間の経過後、再び図１０に示すマッチング処理が実行される
【００６３】
このように、このループ処理（Ｓ３〜Ｓ１１）によって、Ｓ２で受信した複数（ｎ）のＩＤ番号の全ての組み合わせについてマッチング実行処理（Ｓ５）を行い、マッチングが成立した組み合わせに関しては、当該マッチングが成立した双方のユーザについて、当該ユーザの携帯電話機３へマッチング成立を通知する（Ｓ６）。これにより、ＲＦＩＤタグ４を携帯するユーザは、マッチングが成立した他のユーザが近傍に存在すると、携帯電話機３を介してマッチングが成立した旨が通知されるので、ユーザは容易に近傍に存在するマッチング相手及びマッチングの成立内容を知ることができる。
【００６４】
次に、マッチング実行処理（Ｓ５）について説明する。図１に示すように、検索エリア内にはユーザＡとユーザＢが存在している場合には、Ｓ１のサーチ処理において、２つのＩＤ番号を受信することになる。ＲＦＩＤタグリーダ２４によって読取られたＩＤ番号は、ＩＤ番号（１），ＩＤ番号（２），ＩＤ番号（３）…として識別番号が付与されてＲＡＭ２１に一時的に記憶される。Ｓ３においてｉ＝１、Ｓ４においてｊ＝１+１＝２となるため、最初にＩＤ番号（１）とＩＤ番号（２）とでマッチング実行処理（Ｓ５）が行われる。
【００６５】
図１１に示すように、マッチング実行処理（Ｓ５）では、まず、インターネット９を介して管理サーバ１にアクセスして、管理サーバ１のマッチングＤＢ６からＩＤ番号（ｉ）のレコードを検索させる（Ｓ２１）。検索されたＩＤ番号（ｉ）のレコードは、インターネット９を介して検索装置２へ送信されて、ＲＡＭ２１に記憶される。同様に、管理サーバ１のマッチングＤＢ６からＩＤ番号（ｊ）のレコードを検索させる（Ｓ２２）。検索されたＩＤ番号（ｊ）のレコードも、インターネット９を介して検索装置２へ送信されて、ＲＡＭ２１に記憶される。そして、ＩＤ番号（ｉ）のレコードのデマンド情報６２が、ＩＤ番号（ｊ）のレコードのサプライ情報６３と一致するか否かを、ＲＡＭ２１に記憶されたレコードに基づいて判定する（Ｓ２３）。Ｓ２３においてデマンド情報６２とサプライ情報６３と一致しない場合は（Ｓ２３：ＮＯ）、逆に、ＩＤ番号（ｊ）のレコードのデマンド情報６２が、ＩＤ番号（ｉ）のレコードのサプライ情報６３と一致するか否かを、ＲＡＭ２１に記憶されたレコードに基づいて判定する（Ｓ２４）。Ｓ２４においてデマンド情報６２とサプライ情報６３と一致しない場合は（Ｓ２４：ＮＯ）、マッチング不成立と判定する（Ｓ２５）。一方、Ｓ２３でデマンド情報６２とサプライ情報６３と一致する場合（Ｓ２３：ＹＥＳ）又はＳ２４でデマンド情報６２とサプライ情報６３と一致する場合（Ｓ２４：ＹＥＳ）は、マッチング成立と判定する（Ｓ２６）。
【００６６】
図１の場合、ユーザＡのＲＦＩＤタグ４ａから読取ったものをＩＤ番号（１）、ユーザＢのＲＦＩＤタグ４ｂから読取ったものをＩＤ番号（２）として、具体的に説明する。Ｓ２１において、図９に示すＩＤ番号（１）のレコード６０１が、管理サーバ１のマッチングＤＢ６から検索されて、検索装置２のＲＡＭ２１に記憶される。同様に、Ｓ２２において、図９に示すＩＤ番号（２）のレコード６０２が、管理サーバ１のマッチングＤＢ６から検索されて、検索装置２のＲＡＭ２１に記憶される。Ｓ２３において、レコード６０１のデマンド情報６２が、レコード６０２のサプライ情報６３と一致するか否かを、ＲＡＭ２１に記憶されたレコード６０１，６０２に基づいて判定する。この場合、両者とも「マッサージ」であって一致するから、マッチング成立と判定する（Ｓ２６）。
【００６７】
次に、マッチング通知処理（Ｓ７）について説明する。図１２に示すように、マッチング通知処理（Ｓ７）では、ＲＡＭ２１に記憶されたマッチングが成立したＩＤ番号（ｉ）のレコードについて、当該レコードにメールアドレス６５の登録があれば（Ｓ３１：ＹＥＳ）、マッチング成立したレコードに基づいてメール文面を合成するメール作成処理を行い（Ｓ３２）、通信制御部２９を介して、合成したメールを当該メールアドレス６５へ送信させる（Ｓ３３）。一方、ＩＤ番号（ｉ）のレコードにメールアドレス６５の登録がなく（Ｓ３１：ＮＯ）、当該レコードに電話番号６４の登録があれば（Ｓ３４：ＹＥＳ）、マッチング成立したレコードに基づいて音声による電話メッセージを合成する音声合成処理を行い（Ｓ３５）、通信制御部２９を介して、合成した電話メッセージを当該電話番号６４へ電話発信させる（Ｓ３６）。また、当該レコードに電話番号６４の登録もなければ（Ｓ３４：ＮＯ）、通知は実行せずに次の処理へ進む。このマッチング通知処理（Ｓ７）のＳ３１〜Ｓ３６により、マッチング成立したレコードのうち、ＩＤ番号（ｉ）のレコードに登録されているユーザに対し、メール又は電話音声によって、マッチング成立とそのマッチング内容が当該ユーザの携帯電話機３を介して通知される。
【００６８】
図１に示すように、検索装置２の検索エリア内でユーザＡ及びユーザＢの双方が、それぞれ無線タグ４ａ，４ｂを携行している場合、ユーザＡのレコード６０１には、メールアドレス６５「ＸＸＸ＠ＸＸ．ｎｅ．ｊｐ」が登録されているため、Ｓ３２にて合成されたメールがこのメールアドレス６５に宛てて送信される。このメールアドレス６５は携帯電話機３ａのメールアドレスであり、このメールを受信した携帯電話機３ａのＬＣＤ３３（図２参照）には、図１３に示すようなマッチング成立を通知する画面３３ａが表示される。画面３３ａには、マッチング成立とそのマッチング内容が表示されるとともに、マッチング相手であるユーザＢの情報がレコード６０２に基づいて、ユーザＢの名前６６，電話番号６４，メールアドレス６５が表示されている。また、携帯電話機３の機能を活用することで、画面３３ａにおいて「メールする」ボタン３３１を選択すると、ユーザＢのメールアドレス６８に宛てて直接メールでき、「電話する」ボタン３３２を選択すると、ユーザＢの携帯電話機３ｂに対し直接電話発信することができる。なお、メール送信（Ｓ３３）ではなく、電話メッセージ（Ｓ３６）によってマッチング成立の通知を行う場合は、画面３３ａの表示内容と同等内容の音声による電話メッセージが合成されて、ユーザＡの携帯電話機３ａの電話番号６４に宛てて発信されることになる。
【００６９】
同様に、ＲＡＭ２１に記憶されたマッチングが成立したＩＤ番号（ｊ）のレコードについても、当該レコードにメールアドレス６５の登録があれば（Ｓ３７：ＹＥＳ）、マッチング成立したレコードに基づいて、メール文面を合成するメール作成処理を行い（Ｓ３８）、通信制御部２９を介して、合成したメールを当該メールアドレス６５へ送信させる（Ｓ３９）。一方、ＩＤ番号（ｊ）のレコードにメールアドレス６５の登録がなく（Ｓ３１：ＮＯ）、当該レコードに電話番号６４の登録があれば（Ｓ４０：ＹＥＳ）、マッチング成立したレコードに基づいて、音声による電話メッセージを合成する音声合成処理を行い（Ｓ４１）、通信制御部２９を介して、合成した電話メッセージを当該電話番号６４へ電話発信させる（Ｓ４２）。また、当該レコードに電話番号６４の登録もなければ（Ｓ４０：ＮＯ）、通知は実行せずに本処理を終了する。このマッチング通知処理（Ｓ７）により、マッチングが成立したデマンド情報６２のユーザと、サプライ情報６３のユーザの両者に対し、メール又は電話音声によって、マッチング成立とそのマッチング内容が当該ユーザの携帯電話機３を介して通知される。このマッチング通知処理（Ｓ７）のＳ３７〜Ｓ４２により、マッチング成立したレコードのうち、ＩＤ番号（ｊ）のレコードに登録されているユーザに対し、メール又は電話音声によって、マッチング成立とそのマッチング内容が当該ユーザの携帯電話機３を介して通知される。
【００７０】
図１に示すように、検索装置２の検索エリア内でユーザＡ及びユーザＢの双方が、それぞれ無線タグ４ａ，４ｂを携行している場合、ユーザＢのレコード６０２には、メールアドレス６５「ＹＹＹ＠ＹＹ．ｎｅ．ｊｐ」が登録されているため、Ｓ３８にて合成されたメールがこのメールアドレス６５に宛てて送信される。このメールアドレス６５は携帯電話機３ｂのメールアドレスであり、このメールを受信した携帯電話機３ｂのＬＣＤ３３（図２参照）には、図１４に示すようなマッチング成立を通知する画面３３ｂが表示される。画面３３ｂには、マッチング成立とそのマッチング内容が表示されるとともに、マッチング相手であるユーザAの情報がレコード６０１に基づいて、ユーザＡの名前６６，電話番号６４，メールアドレス６５が表示されている。なお、メール送信（Ｓ３９）ではなく、電話メッセージ（Ｓ４２）によってマッチング成立の通知を行う場合は、画面３３ｂの表示内容と同等内容の音声による電話メッセージが合成されて、ユーザＢの携帯電話機３ｂの電話番号６４に宛てて発信されることになる。
【００７１】
次に、本発明の「第２の実施の形態」における、無線タグを用いた検索システムを、図面を参照して説明する。なお、「第１の実施の形態」と共通の構成には、同一の符号を付与して、その説明は省略する。
【００７２】
まず、図１５，図１６を参照して、「第２の実施の形態」における、無線タグを用いた検索システムの構成について説明する。図１５は、「第２の実施の形態」における、無線タグを用いた検索システムの全体概念図である。図１６は、「第２の実施の形態」における、検索装置２の電気的構成を示すブロック図である。
【００７３】
図１５に示すように、ＲＦＩＤタグ４を有するユーザがユーザ情報を登録又は更新するための登録端末装置５ａは、インターネット８ａを介して検索装置２ａと接続されている。また、不特定多数のユーザへ商品又はサービスを提供することを希望する店舗５０内に設けられ、当該店舗５０が提供する商品又はサービスに関する商品サービス情報を登録又は更新するための登録端末装置５ｂも、インターネット８ａを介して検索装置２ａと接続されている。また、店舗５０は、検索装置２ａの近傍に存在しているが、その位置は検索装置２ａの検索エリア内（図で示す点線の内側）であるか検索エリア外であるかは問わない。
【００７４】
次に、検索装置２ａの電気的構成について説明する。図１６に示すように、「第１の実施の形態」における検索装置２（図４参照）との相違は、処理プログラム部２７に登録処理プログラム７ａを記憶している点と、マッチングＤＢ６を有する点である。このような構成により、管理サーバ１を設けることなく、本発明の無線タグを用いた検索システムを実現している。
【００７５】
次に、「第２の実施の形態」における、無線タグを用いた検索システムの動作を、図１７乃至図２２を参照しながら説明する。図１７は、「第２の実施の形態」における、マッチングＤＢ６におけるユーザ情報テーブル６０のデータ概念図である。図１８は、「第２の実施の形態」における、マッチングＤＢ６における商品サービス情報テーブル７０のデータ概念図である。図１９は、「第２の実施の形態」における、検索装置２ａにおけるマッチング処理のメインフローチャートを示す図である。図２０は、「第２の実施の形態」における、マッチング実行処理（Ｓ５３）の詳細を示すフローチャートを示す図である。図２１は、「第２の実施の形態」における、マッチング通知処理（Ｓ５５）の詳細を示すフローチャートを示す図である。図２２は、「第２の実施の形態」における、携帯電話機３のＬＣＤ３３に表示される画面の一例である。
【００７６】
「第２の実施の形態」においても、図７に示すユーザ情報登録処理に従って、ＲＦＩＤタグ４を有するユーザが登録端末装置５ａからユーザ情報を登録又は更新する。ここで、登録又は更新されるユーザ情報は、検索装置２ａのマッチングＤＢ６に記憶される。また、図７に示すユーザ情報登録処理に従って、店舗５０の店員等が登録端末装置５ｂから、提供する商品又はサービスに関する商品サービス情報を登録又は更新する。なお、登録端末装置５ｂから商品サービス情報を登録又は更新する場合は、図７に示すユーザ情報登録処理では「ユーザ情報登録画面」に代えて、商品サービス情報の登録又は更新のためのフォーマットである「商品サービス情報登録画面」が用いられる。また、登録端末装置５ｂからは「ユーザ情報」に代えて、「商品サービス情報」が登録又は更新されるが、処理内容は同じである。
【００７７】
図１５の場合、ユーザが登録端末装置５ａからユーザ情報を登録した結果、図１７に示すマッチングＤＢ６のユーザ情報テーブル６０において、レコード６０３として記憶されている。また、店舗５０の店員等が登録端末装置５ｂから商品サービス情報を登録した結果、図１８に示すマッチングＤＢ６の商品サービス情報テーブル７０において、レコード７０１として記憶されている。すなわち、商品サービス情報テーブル７０は、複数の商品サービス情報をレコードとして記憶するものである。このように、ユーザ情報のレコードも商品サービス情報のレコードも、同じマッチングＤＢ６に記憶されることになるが、前者と後者ではデータ項目に異なる部分があるため、マッチングＤＢ６では前者をユーザ情報テーブル６０に、後者を商品サービス情報テーブル７０に分けて記憶している。
【００７８】
図１８に示すように、マッチングＤＢ６の商品サービス情報テーブル７０は、データ項目として、当該検索装置２ａに固有の識別番号である検索装置ＩＤ番号７１と、店舗等がユーザに提供したいサービスや商品に関するサプライ情報７２と、当該店舗等の電話番号７３，メールアドレス７４，名前７５と、当該店舗等の存在位置を示す位置情報７８とを備える。これらのデータ項目は、商品サービス情報の関連情報としての意義がある。なお、図１７に示すマッチングＤＢ６のユーザ情報テーブル６０のデータ項目は、「第１の実施の形態」のマッチングＤＢ６（図９参照）のデータ項目と同じであるが、サプライ情報６３は未登録となっている。なお、検索装置ＩＤ番号７１は、「第２の実施の形態」では使用されないが、「第４の実施の形態」において使用される。
【００７９】
以上のように、マッチングＤＢ６にユーザ情報及び商品サービス情報が登録又は更新された状態で、ユーザが外出等する際には、図２に示すように携帯電話機３にＲＦＩＤタグ４を貼付したものを携帯する。そして、図1５に示すように、ユーザが検索装置２ａの検索エリア内に入ると、検索装置２ａのＲＦＩＤタグリーダ２４とＲＦＩＤタグ４とが無線通信を自動的に行う。そして、ＲＦＩＤタグリーダ２４がＲＦＩＤタグ４からＩＤ番号を読取ると、検索装置２ａにおいては当該ＩＤ番号のユーザ情報と商品サービス情報とでマッチング処理を実行する。その結果、マッチングが成立した場合には、その旨をユーザの携帯電話機３へ通知する。これらの処理の詳細を、以下、説明する。
【００８０】
図１９に示すように、検索装置２ａにおいては、まず、ＲＦＩＤタグリーダ２４によって検索エリア内のＲＦＩＤタグ４をサーチさせて、ＲＦＩＤタグ４からそのＩＤ番号を読取らせる（Ｓ５１）。このサーチ処理は、予め定められた一定期間ごとに実行されるものとする。それにより、ＲＦＩＤタグ４からＩＤ番号が読取られた場合は（Ｓ５２：ＹＥＳ）、この読取られたＩＤ番号のユーザ情報と商品サービス情報をマッチングするマッチング実行処理（Ｓ５３）を実行する。マッチング実行処理（Ｓ５３）の実行後、マッチングが成立していれば（Ｓ５４：ＹＥＳ）、マッチングしたユーザの携帯電話機３に対しマッチング成立の通知を行うマッチング通知処理を実行する（Ｓ５５）。
【００８１】
一方、マッチングが成立しなかった場合（Ｓ５４：ＮＯ）又はマッチング通知処理を実行した場合（Ｓ５５）、Ｓ５１で読取られた全てのＩＤ番号について処理したら（Ｓ５６：ＹＥＳ）、マッチング処理を終了する。一方、未処理のＩＤ番号があれば（Ｓ５６：ＮＯ）、次のＩＤ番号を選択して（Ｓ５７）、当該選択したＩＤ番号についてもマッチング実行処理（Ｓ５３）を実行する。そして、Ｓ５１で読取った全てのＩＤ番号についてマッチング実行処理（Ｓ５３）を実行するまで、本処理を実行する。
【００８２】
次に、マッチング実行処理（Ｓ５３）について説明する。図２０に示すように、マッチング実行処理（Ｓ５３）では、まず、Ｓ５１で受信したＩＤ番号で、マッチングＤＢ６のユーザ情報テーブル６０において当該ＩＤ番号のレコードを検索させて、検索したレコードをＲＡＭ２１に記憶させる（Ｓ６１）。そして、このＲＡＭ２１に記憶されたレコードのデマンド情報６２に基づき、当該デマンド情報６２と一致するサプライ情報７２を有するレコードを、商品サービス情報テーブル７０から検索させる（Ｓ６２）。Ｓ６２で検索された結果、当該レコードのデマンド情報６２と一致するサプライ情報７２を有するレコードが発見された場合は（Ｓ６３：ＹＥＳ）、マッチング成立と判定する（Ｓ６４）。逆に、当該レコードのデマンド情報６２と一致するサプライ情報７２を有するレコードを発見されなかった場合は（Ｓ６３：ＮＯ）、マッチング不成立と判定する（Ｓ６５）。
【００８３】
図１５の場合、Ｓ５１のサーチ処理において、検索エリア内にはユーザが存在しているため、当該ユーザのＲＦＩＤタグ４から受信したＩＤ番号「５１２４８７０８」は、ＲＡＭ２１に一時的に記憶される。マッチング実行処理（Ｓ５３）では、ＩＤ番号６１が「５１２４８７０８」のレコード６０３が、ユーザ情報テーブル６０から検索されて（図１７参照）、ＲＡＭ２１に記憶される。そして、このレコード６０３のデマンド情報６２「パン屋」と一致するサプライ情報７２を有するレコードが、商品サービス情報テーブル７０から検索される。図１８において、レコード７０１のサプライ情報７２は「パン屋」であり、レコード６０３のデマンド情報６２「パン屋」と一致するからマッチング成立と判定されて、このレコード７０１をＲＡＭ２１に記憶させる。
【００８４】
次に、マッチング通知処理（Ｓ５５）について説明する。図２１に示すように、マッチング通知処理（Ｓ５５）では、ＲＡＭ２１に記憶されたマッチングが成立したユーザ情報のレコードについて、当該レコードにメールアドレス６５の登録があれば（Ｓ７１：ＹＥＳ）、マッチング成立したレコードに基づいてメール文面を合成するメール作成処理を行い（Ｓ７２）、通信制御部２９を介して、合成したメールを当該メールアドレス６５へ送信させる（Ｓ７３）。一方、当該レコードにメールアドレス６５の登録がなく（Ｓ７１：ＮＯ）、当該レコードに電話番号６４の登録があれば（Ｓ７４：ＹＥＳ）、マッチング成立したレコードに基づいて音声による電話メッセージを合成する音声合成処理を行い（Ｓ７５）、通信制御部２９を介して、合成した電話メッセージを当該電話番号６４へ電話発信させる（Ｓ７６）。また、当該レコードに電話番号６４の登録もなければ（Ｓ７４：ＮＯ）、通知は実行せずに次の処理へ進む。このマッチング通知処理（Ｓ５５）により、商品サービス情報とマッチング成立したユーザに対し、メール又は電話音声によって、マッチング成立とそのマッチング内容が当該ユーザの携帯電話機３を介して通知される。
【００８５】
図１５の場合、ユーザ情報のレコード６０３には、メールアドレス６５「ＺＺＺ＠ＺＺ．ｎｅ．ｊｐ」が登録されているため、Ｓ７２にて合成されたメールがこのメールアドレス６５に宛てて送信される。このメールアドレス６５は携帯電話機３のメールアドレスであり、このメールを受信した携帯電話機３のＬＣＤ３３（図２参照）には、図２２に示すようなマッチング成立を通知する画面３３ｃが表示される。画面３３ｃには、マッチング成立とそのマッチング内容が表示されるとともに、マッチング相手である商品サービス情報がレコード７０１に基づいて、商品又はサービスの提供元の名前７５，電話番号７３，メールアドレス７４が表示されている。
【００８６】
また、携帯電話機３の機能を活用することで、画面３３ｃにおいて「メールする」ボタン３３１を選択すると、当該商品又はサービスの提供元である店舗５０のメールアドレス７４に宛てて直接メールでき、「電話する」ボタン３３２を選択すると、当該店舗５０の電話番号７３に対し直接電話発信することができる。また、商品サービス情報のレコード７０１の位置情報７８（北緯（ｎｌ），東経（ｅｌ））に基づいて、図示しない検索装置２ａに設けられた地図データベースやインターネット８ａを介した外部の地図データベースから、当該商品サービス情報の提供元の位置を示す地図情報７６を取得して、図２２に示すように表示してもよい。なお、メール送信（Ｓ７３）ではなく、電話メッセージ（Ｓ７６）によってマッチング成立の通知を行う場合は、画面３３ｃの表示内容と同等内容の音声による電話メッセージが合成されて、ユーザの携帯電話機３の電話番号６４に宛てて発信されることになる。
【００８７】
このように、このループ処理（Ｓ５３〜Ｓ５７）によって、Ｓ５１で読取られたＩＤ番号全てについてマッチング実行処理（Ｓ５３）を行い、ユーザ情報と商品サービス情報とのマッチングが成立した場合は、当該マッチングが成立したユーザの携帯電話機３へマッチング成立を通知する（Ｓ５５）。これにより、ＲＦＩＤタグ４を携帯するユーザは、マッチングが成立した商品又はサービスが近傍に存在すると、携帯電話機３を介してマッチングが成立した旨が通知されるので、ユーザは容易に近傍に存在するマッチング相手及びマッチングの成立内容を知ることができる。
【００８８】
次に、本発明の「第３の実施の形態」における、無線タグを用いた検索システムを、図面を参照して説明する。なお、「第１の実施の形態」と共通の構成には、同一の符号を付与してあり、その説明は省略する。
【００８９】
まず、図２３乃至図２５を参照して、「第３の実施の形態」における、無線タグを用いた検索システムの構成について説明する。図２３は、「第３の実施の形態」における、無線タグを用いた検索システムの全体概念図である。図２４は、「第３の実施の形態」における、管理サーバ１の電気的構成を示すブロック図である。図２５は、「第３の実施の形態」における、検索装置２の電気的構成を示すブロック図である。
【００９０】
図２３に示すように、本発明の検索システム全体を管理するために設けられている管理サーバ１は、第１インターネット８を介して登録端末装置５と接続され、また、第２インターネット９を介して複数の検索装置２と接続されている。図２３では検索装置２として、第１検索装置２ａと第２検索装置２ｂとを示している。また、第１検索装置２ａの検索エリア内にＲＦＩＤタグ４ａが付与された携帯電話機３ａを携帯するユーザＡが存在しており、また、第２検索装置２ｂの検索エリア内にＲＦＩＤタグ４ｂが付与された携帯電話機３ｂを携帯するユーザＢが存在していることを示す。なお、「第３の実施の形態」のユーザＡ及びユーザＢは、「第１の実施の形態」のユーザＡ及びユーザＢと同じであるが、「第１の実施の形態」ではユーザＡ及びユーザＢが同一の検索装置２の検索エリア内に存在しているのに対し、「第３の実施の形態」ではユーザＡ及びユーザＢが異なる検索装置２の検索エリア内に存在している。
【００９１】
次に、管理サーバ１の電気的構成について説明する。図２４に示すように、「第１の実施の形態」における管理サーバ１（図３参照）との相違は、処理プログラム部１４に登録処理プログラム７ａに加え、マッチング処理プログラム７ｂと通知処理プログラム７ｃとを記憶している点である。また、ユーザに対してマッチング成立を通知するための携帯電話機３との無線通信を制御する通信制御部１９と、携帯電話機３との無線通信を仲介するアンテナ１８とを備える。なお、マッチングＤＢ６は図９に示すものと同じであり、図９で示すように、ユーザＡが登録端末装置５から登録したユーザ情報であるレコード６０１と、ユーザＢが登録端末装置５から登録したユーザ情報であるレコード６０２とを記憶している。
【００９２】
次に、検索装置２の電気的構成について説明する。図２５に示すように、「第１の実施の形態」における検索装置（図２参照）との相違は、処理プログラム部２７と通信制御部２９を具備しない点である。すなわち、「第３の実施の形態」では、マッチング処理プログラム７ｂ，通知処理プログラム７ｃ，通信制御部２９に相当する構成は管理サーバ１が具備しているので、検索装置２はＲＦＩＤタグ４からのデータ読取り装置として機能する。
【００９３】
このような構成により、検索装置２は、ＲＦＩＤタグ４からＩＤ番号を読取ると、そのＩＤ番号を管理サーバ１へ送信する。管理サーバ１は、複数の検索装置２と接続されており、当該複数の検索装置２から各々のＩＤ番号を受信する。そして、管理サーバ１は複数のＩＤ番号を受信すると、当該ＩＤ番号の各々に対応するユーザ情報に基づいてマッチング処理を実行する。その結果、マッチングが成立した場合には、管理サーバ１はその旨をユーザの携帯電話機３へ通知する。
【００９４】
また、「第３の実施の形態」における検索システムの動作は、「第１の実施の形態」における処理（図１０〜図１３参照）と基本的に同じであるが、これらの処理が管理サーバ１において実行される点が「第１の実施の形態」と異なる。
【００９５】
また、マッチング処理（図１０）においては、Ｓ１のサーチ処理に代えて、複数の検索装置２からＩＤ番号を受信する受信処理が行われる。そして、Ｓ２では、検索装置２から複数のＩＤ番号を受信したか否かを判定する。Ｓ１の受信処理において、所定期間内に複数のＩＤ番号を判定した場合は、当該ＩＤ番号に基づいてマッチングを実行する（図１０のＳ３〜Ｓ１１を参照）。
【００９６】
図２３の場合、第１検索装置２ａはＲＦＩＤタグ４ａからユーザＡのＩＤ番号「１２０００１０１」を読取ると、管理サーバ１へそのＩＤ番号を送信する。また、第２検索装置２ｂはＲＦＩＤタグ４ｂからユーザＢのＩＤ番号「３７００３００８」を読取ると、管理サーバ１は、検索装置２ａ、２ｂのそれぞれからＩＤ番号をほぼ同じタイミングで受信した場合、ＩＤ番号「１２０００１０１」に基づいてマッチングＤＢ６からレコード６０１を検索する。また、ＩＤ番号「３７００３００８」に基づいてマッチングＤＢ６からレコード６０２を検索する。そして、レコード６０１とレコード６０２とにおいて、デマンド情報６２とサプライ情報６３との一致を判定する。この場合、レコード６０１のデマンド情報６２「マッサージ」とレコード６０２のサプライ情報６３「マッサージ」が一致するので、マッチング成立とその内容をユーザＡ及びユーザＢに通知することになる。
【００９７】
マッチング通知処理（図１２参照）によってユーザＡ及びユーザＢへ通知される内容は「第１の実施の形態」のものと同じであり、例えば、携帯電話機３ａのＬＣＤ３３（図２参照）には、図１３に示すようなマッチング成立を通知する画面３３ａが表示され、また、携帯電話機３ｂのＬＣＤ３３には、図１４に示すようなマッチング成立を通知する画面３３ｂが表示される。
【００９８】
このように、異なる検索装置２の各検索エリア内に、ＲＦＩＤタグ４を携帯する各ユーザが存在している場合、各検索装置２からＩＤ番号を受信した管理サーバ１においてユーザ情報のマッチングを実行し、マッチングが成立すると携帯電話機３を介してマッチングが成立した旨が各ユーザに通知される。よって、ＲＦＩＤタグ４を携帯する各ユーザが遠く離れた位置に存在している場合でもマッチングを実行することができる。
【００９９】
次に、本発明の「第４の実施の形態」における、無線タグを用いた検索システムを、図面を参照して説明する。なお、「第１の実施の形態」乃至「第３の実施の形態」と共通の構成には、同一の符号を付与してあり、その説明は省略する。
【０１００】
まず、図２６乃至図２８を参照して、「第４の実施の形態」における、無線タグを用いた検索システムの構成について説明する。図２６は、「第４の実施の形態」における、無線タグを用いた検索システムの全体概念図である。図２７は、「第４の実施の形態」における、管理サーバ１の電気的構成を示すブロック図である。図２８は、「第４の実施の形態」における、検索装置２の電気的構成を示すブロック図である。
【０１０１】
図２６に示すように、本発明の検索システム全体を管理するために設けられている管理サーバ１は、第１インターネット８ａを介して第１登録端末装置５ａと接続され、また、第３インターネット９を介して複数の検索装置２と接続されている。また、管理サーバ１は、当該店舗５０が提供する商品又はサービスに関する商品サービス情報を登録又は更新するための第２登録端末装置５ｂと第２インターネット８ｂを介して接続されており、第２登録端末装置５ｂは店舗５０内に設けられている。店舗５０は、検索装置２の近傍に存在しているが、その位置は検索装置２の検索エリア内（図で示す点線の内側）であるか検索エリア外であるかは問わない。なお、「第４の実施の形態」のユーザ及び店舗５０は、「第２の実施の形態」のユーザ及び店舗５０と同じであるが、「第２の実施の形態」では第１登録端末装置５ａ及び第２登録端末装置５ｂがインターネット８を介して検索装置２に接続されるのに対し、「第４の実施の形態」では第１登録端末装置５ａ及び第２登録端末装置５ｂがインターネット８ａ，８ｂを介して管理サーバ１に接続されている。
【０１０２】
次に、管理サーバ１の電気的構成について説明する。図２７に示すように、「第１の実施の形態」における管理サーバ１（図４参照）との相違は、処理プログラム部１４にマッチング処理プログラム７ｂを記憶している点である。これにより、管理サーバ１においてマッチング処理を実行可能となっている。なお、マッチングＤＢ６は図１７及び図１８に示すものと同じであり、図１７で示すように、マッチングＤＢ６のユーザ情報テーブル６０にはユーザが登録端末装置５ａから登録したユーザ情報であるレコード６０３が記憶され、図１８で示すように、マッチングＤＢ６の商品サービス情報テーブル７０には店舗５０の店員等が登録端末装置５ｂから登録した商品サービス情報であるレコード７０１が記憶されている。検査装置ＩＤ番号７１には、店舗５０の近くに設置されている検索装置２のＩＤを記憶させておく。
【０１０３】
次に、検索装置２の電気的構成について説明する。図２８に示すように、「第１の実施の形態」における検索装置２（図４参照）との相違は、マッチング処理プログラム７ｂを検索装置２が具備していない点である。そのため、検索装置２はＲＦＩＤタグ４からのデータ読取り装置及び携帯電話機３へのマッチング通知装置として機能する。また、検索装置２のＲＯＭ２２には、当該検索装置２に固有の識別番号である検索装置ＩＤ番号をあらかじめ記憶されている。
【０１０４】
このような構成により、検索装置２は、ＲＦＩＤタグ４からＩＤ番号を読取ると、そのＩＤ番号に検索装置ＩＤ番号を付与して管理サーバ１へ送信する。管理サーバ１は検索装置２からＩＤ番号及び検索装置ＩＤ番号を受信すると、そのＩＤ番号及び検索装置ＩＤ番号に基づいてマッチング処理を実行する。マッチングが成立すると、管理サーバ１は検索したレコードを検索装置２へ返信する。検索装置２では、管理サーバ１から返信されたレコードに基づいて、携帯電話機３を介してマッチングが成立した旨がユーザに通知される。ここで、「第２の実施の形態」と異なり、検索装置ＩＤをサーバへ送っている理由は、「第４の実施の形態」では、複数台の検索装置からマッチング処理要求をサーバ側で区別できるようにするためである。複数台の検索装置に対して１つのマッチングＤＢを用いてマッチングを行う。
【０１０５】
図２９及び３０を参照して、「第４の実施の形態」における、無線タグを用いた検索システムの動作を説明する。図２９は、「第４の実施の形態」における、管理サーバ１におけるマッチング処理のメインフローチャートを示す図である。図３０は、「第４の実施の形態」における、検索装置２におけるマッチング通知処理の詳細を示すフローチャートを示す図である。
【０１０６】
図２９に示すように、管理サーバ１におけるマッチング処理においては、検索装置２からＩＤ番号を受信する受信処理が行われる（Ｓ８１）。そして、検索装置２からＩＤ番号を受信したか否かを判定する（Ｓ８２）。Ｓ１の受信処理において、所定期間内に検索装置２からＩＤ番号を受信したと判定した場合（Ｓ８２：ＹＥＳ）、当該ＩＤ番号に基づいてマッチング実行処理を実行する（Ｓ８３）。
【０１０７】
図３０に示すように、マッチング実行処理（Ｓ８３）では、まず、Ｓ８１で受信したＩＤ番号で、マッチングＤＢ６のユーザ情報テーブル６０から当該ＩＤ番号のレコードを検索させて、検索されたレコードをＲＡＭ２１に記憶させる（Ｓ９１）。次に、このＲＡＭ２１に記憶されたレコードのデマンド情報６２と一致するサプライ情報７２を有するレコードであって、かつ、Ｓ８１で受信した検索装置ＩＤ番号７１を有するレコードを、商品サービス情報テーブル７０から検索させる（Ｓ９２）。Ｓ９２で検索された結果、当該レコードのデマンド情報６２と一致するサプライ情報７２を有するレコードが発見された場合は（Ｓ９３：ＹＥＳ）、マッチング成立と判定する（Ｓ９４）。逆に、該当するレコードを発見されなかった場合は（Ｓ９３：ＮＯ）、マッチング不成立と判定する（Ｓ９５）。
【０１０８】
図２６の場合、検索装置２は、ＲＦＩＤタグ４からＩＤ番号「５１２４８７０８」を読取ると、当該検索装置２の検索装置ＩＤ番号「２４５０」とともに管理サーバ１へ送信する。管理サーバ１では、検索装置２よりＩＤ番号「５１２４８７０８」と検索装置ＩＤ番号「２４５０」を受信すると、図２９のマッチング処理が実行される。ＩＤ番号「５１２４８７０８」に基づいて、マッチングＤＢ６のユーザ情報テーブル６０から、ＩＤ番号６１「５１２４８７０８」のレコード６０３が検索される（図１７参照）。そして、レコード６０３のデマンド情報６２「パン屋」と検索装置ＩＤ番号「２４５０」とを有するレコードが、マッチングＤＢ６の商品サービス情報テーブル７０から検索される。その結果、サプライ情報７２「パン屋」と検索装置ＩＤ番号「２４５０」とを有するレコード７０３が検索され、マッチング成立と判定される。
【０１０９】
図２９に戻り、マッチング実行処理（Ｓ８３）においてマッチングが成立した場合は（Ｓ８４：ＹＥＳ）、マッチング成立したレコードは要求元の検索装置２へ送信される（Ｓ８５）。マッチング成立しなかった場合（Ｓ８４：ＮＯ）又はマッチング成立したレコードが要求元の検索装置２へ送信された場合（Ｓ８１）は、Ｓ８１で受信された全てのＩＤ番号について処理したならば（Ｓ８６：ＹＥＳ）、マッチング処理を終了する。一方、未処理のＩＤ番号があれば（Ｓ８６：ＮＯ）、次のＩＤ番号を選択して（Ｓ８７）、当該選択したＩＤ番号についてもマッチング実行処理（Ｓ８３）が実行される。そして、Ｓ８１で受信された全てのＩＤ番号についてマッチング実行処理（Ｓ８３）が実行されるまで、本処理を行う。なお、Ｓ８２においてＩＤ番号を受信しないと判定した場合は（Ｓ８２：ＮＯ）、本処理を終了する。
【０１１０】
なお、Ｓ８５において、マッチング成立したレコードが管理サーバ１から要求元の検索装置２に送信されると、当該レコードを受信した要求元の検索装置２はマッチング通知処理を実行する。すなわち、当該レコードに基づいて、マッチング成立とその内容を示す通知をユーザの携帯電話機３に対して送信する。なお、検索装置２が実行するマッチング通知処理の詳細は、図２１と同じである。
【０１１１】
図２６の場合、Ｓ８５において、マッチング成立したレコードとしてレコード６０３とレコード７０１とが、要求元の検索装置２へ送信される。これらのレコードを受信した検索装置２において、当該レコードの情報に基づいてマッチング成立とその内容を示す通知がユーザの携帯電話機３に対して送信され、当該通知を受信した携帯電話機３のＬＣＤ３３（図２参照）には、図２２に示すようなマッチング成立を通知する画面３３ｂが表示される。
【０１１２】
このように、複数の検索装置２が存在する場合において、ユーザ情報及び商品サービス情報を管理サーバで一元管理することにより、ユーザや店舗の店員は各検索装置２に情報を登録する面倒がなく、管理サーバ１においてのみ情報を登録すれば足りる。また、検索装置２にかかる負担が少ないため、検索装置２の増設や配置変更などに容易に対応することができる。
【０１１３】
尚、上記「第１の実施の形態」〜「第４の実施の形態」において、マッチングＤＢ６が、本発明の「記憶手段」に相当し、ＲＦＩＤタグリーダ２４が、本発明の「読取り手段」に相当する。
【０１１４】
また、「第１の実施の形態」及び「第２の実施の形態」において、マッチング処理プログラム７ｂを動作させることで、マッチング実行処理（図１０のＳ５、図１９のＳ５３）を実行する検索装置２のＣＰＵ２０、又は、「第３の実施の形態」及び「第４の実施の形態」において、マッチング処理プログラム７ｂを動作させることで、マッチング実行処理（図１０のＳ５、図２９のＳ８３）を実行する管理サーバ１のＣＰＵ１０が、それぞれ本発明の「検索手段」及び「判定手段」に相当する。また、「第１の実施の形態」、「第２の実施の形態」及び「第４の実施の形態」において、通知処理プログラム７ｃを動作させることで、マッチング通知処理（図１０のＳ７、図１９のＳ５５）を実行する検索装置２のＣＰＵ２０、又は、「第３の実施の形態」において、通知処理プログラム７ｃを動作させることで、マッチング通知処理（図１０のＳ７）を実行する管理サーバ１のＣＰＵ１０が、それぞれ本発明の「通知手段」に相当する。また、「第１の実施の形態」、「第３の実施の形態」及び「第４の実施の形態」において、登録処理プログラム７ａを動作させることで、ユーザ情報登録処理（図７）を実行する管理サーバ１のＣＰＵ１０、又は「第２の実施の形態」において、登録処理プログラム７ａを動作させることで、ユーザ情報登録処理（図７）を実行する検索装置２のＣＰＵ２０が、それぞれ本発明の「ユーザ情報編集手段」に相当する。
【０１１５】
また、上記「第１の実施の形態」〜「第４の実施の形態」において、マッチングＤＢ６に記憶されたレコード６０１，６０２，６０３が、本発明の「記憶手段に記憶されたユーザ情報」に相当し、マッチングＤＢ６におけるデータ項目（図９参照）であるデマンド情報６２及びサプライ情報６３の少なくとも１つを含むものが、本発明の「ユーザ情報の関連情報」に相当する。また、マッチングＤＢ６に記憶されたレコード７０１が、本発明の「記憶手段に記憶された商品サービス情報」し、マッチングＤＢ６におけるデータ項目（図１８参照）であるサプライ情報７２を少なくとも含むものが、本発明の「商品サービス情報の関連情報」に相当する。
【０１１６】
すなわち、検索装置２と管理サーバ１とから構成されるシステムが、本発明の「検索システム」に相当し、検索装置２が、本発明の「検索装置」に相当し、管理サーバ１が、本発明の「管理サーバ」に相当する。
【０１１７】
尚、本発明は、以上詳述した「第１の実施の形態」〜「第４の実施の形態」に限定されるものではなく、種々の変更が可能である。
【０１１８】
上記実施の形態では、ユーザ情報登録処理（図７）において、ユーザが登録端末装置５からユーザ情報登録画面８００（図８）にＲＦＩＤタグ４のＩＤ番号８０１を入力しているが、登録端末装置５がユーザのＲＦＩＤタグ４からＩＤ番号を読取る機能を具備していれば、自動的にＲＦＩＤタグ４からＩＤ番号等を読取られてＩＤ番号８０１等として設定されれば、ユーザはユーザ情報を入力する手間を省くことができる。
【０１１９】
また、デマンド情報６２とサプライ情報６３，７２とに基づくマッチングでは、両者が完全一致するときにマッチング成立と判定しているが、他の方法によるマッチングを行っても構わない。例えば、一部一致であってもマッチング成立と判定してもよいし、曖昧検索によって所定値以上の一致率であればマッチング成立としてもよい。また、ユーザがユーザ情報登録画面８００（図８）において、プルダウンによる一覧メニューから、デマンド情報８０２やサプライ情報８０３に設定する商品やサービスを選択できるようにしてもよい。
【０１２０】
また、マッチング通知処理（図１０のＳ７、図１９のＳ５５）において、携帯電話機３に内蔵されたＬＣＤ又はスピーカ等を利用して、画面表示や電話音声によって通知を行っているが、他の手段によって報知をよってもよい。例えば、検索装置２に大型のディスプレイ装置を設けたり、スピーカ等を設けたり、別個にそれらを設けて検索エリア内のユーザにそのディスプレイ装置又はスピーカを用いて報知するようにしても良い。また、通常の携帯電話機に内蔵されているバイブレータ機能による振動によって通知を行ってもよいし、点滅又は点灯する発光部を携帯端末装置に設けて、この発光部の点滅又は点灯によって通知を行ってもよい。もちろん、これらの通知手段を組み合わせて通知を行ってもよい。
【０１２１】
また、マッチング成立の対象は商品やサービスに限定されず、他の種別の物をユーザの任意によって設定可能であり、デマンド情報６２やサプライ情報６３，７２として、店舗、施設、建物、車両、人物、動物、仕事、趣味、人種などを設定してもよい。
【０１２２】
また、デマンド情報６２及びサプライ情報６３，７２以外のユーザ情報の関連情報に基づいて、マッチング処理を実行してもよい。例えば、ユーザ情報の関連情報として「出身県」や「出身国」などを設けて、同じ「出身県」や「出身国」であればマッチング成立と判定する等である。
【０１２３】
また、Ｓ１のサーチ処理によるサーチ間隔は任意に設定可能であり、また一回のサーチにおいてどの程度の期間サーチを続けるかも任意に設定可能である。
【０１２４】
また、マッチング通知処理（図１０のＳ７、図１９のＳ５５）においては、ユーザの携帯電話機３に対してマッチング成立に関する通知を行っているが、他の手段によって通知しても構わない。例えば、マッチング成立したユーザの近傍、又はマッチング成立を通知する検索装置２の近傍に、公共用の大型ディスプレイ等を設けてあれば、当該大型ディスプレイ等にマッチング成立の事実とそのマッチング成立内容を公示することで、ユーザに対しマッチング成立を認知させてもよい。
【０１２５】
また、本発明の無線タグを用いた検索システムに係るＲＦＩＤタグ４およびＲＦＩＤタグリーダ２４は、本発明を実現する無線タグおよび無線タグリーダとして機能できれば、大きさ、形状、通信速度、通信距離、仕様を問わないことはいうまでもない。
【０１２６】
なお、本発明は無線タグを利用したマッチング相手の検索システムであって、マッチングが成立した場合には、携帯電話機、ノートＰＣ、ＰＤＡ、ポケットベル等の個人用携帯端末を介して、マッチング成立及びそのマッチング内容をユーザへ通知する、無線タグを用いた検索システムとして利用できる。
【図面の簡単な説明】
【０１２７】
【図１】「第１の実施の形態」における、無線タグを用いた検索システムの全体概念図である。
【図２】「第１の実施の形態」における、無線タグを用いた検索システムを構成するＲＦＩＤタグ４と、その貼付場所の具体例を示す図である。
【図３】「第１の実施の形態」における、管理サーバ１の電気的構成を示すブロック図である。
【図４】「第１の実施の形態」における、検索装置２の電気的構成を示すブロック図である。
【図５】「第１の実施の形態」における、ＲＦＩＤタグリーダ２４の電気的構成を示すブロック図である。
【図６】「第１の実施の形態」における、ＲＦＩＤタグ４の電気的構成を示すブロック図である。
【図７】「第１の実施の形態」における、管理サーバ１におけるユーザ情報登録処理のフローチャートを示す図である。
【図８】「第１の実施の形態」における、登録端末装置５において表示される画面の一例である。
【図９】「第１の実施の形態」における、管理サーバ１のマッチングＤＢ６におけるデータ構成の概念図である。
【図１０】「第１の実施の形態」における、検索装置２におけるマッチング処理のメインフローチャートを示す図である。
【図１１】「第１の実施の形態」における、マッチング実行処理（Ｓ５）の詳細を示すフローチャートを示す図である。
【図１２】「第１の実施の形態」における、マッチング通知処理（Ｓ７）の詳細を示すフローチャートを示す図である。
【図１３】「第１の実施の形態」における、携帯電話機３のＬＣＤ３３に表示される画面の一例である。
【図１４】「第１の実施の形態」における、携帯電話機３のＬＣＤ３３に表示される画面の他の一例である。
【図１５】「第２の実施の形態」における、無線タグを用いた検索システムの全体概念図である。
【図１６】「第２の実施の形態」における、検索装置２の電気的構成を示すブロック図である。
【図１７】「第２の実施の形態」における、マッチングＤＢ６におけるユーザ情報テーブル６０のデータ概念図である。
【図１８】「第２の実施の形態」における、マッチングＤＢ６における商品サービス情報テーブル７０のデータ概念図である。
【図１９】「第２の実施の形態」における、検索装置２ａにおけるマッチング処理のメインフローチャートを示す図である。
【図２０】「第２の実施の形態」における、マッチング実行処理（Ｓ５３）の詳細を示すフローチャートを示す図である。
【図２１】「第２の実施の形態」における、マッチング通知処理（Ｓ５５）の詳細を示すフローチャートを示す図である。
【図２２】「第２の実施の形態」における、携帯電話機３のＬＣＤ３３に表示される画面の一例である。
【図２３】「第３の実施の形態」における、無線タグを用いた検索システムの全体概念図である。
【図２４】「第３の実施の形態」における、管理サーバ１の電気的構成を示すブロック図である。
【図２５】「第３の実施の形態」における、検索装置２の電気的構成を示すブロック図である。
【図２６】「第４の実施の形態」における、無線タグを用いた検索システムの全体概念図である。
【図２７】「第４の実施の形態」における、管理サーバ１の電気的構成を示すブロック図である。
【図２８】「第４の実施の形態」における、検索装置２の電気的構成を示すブロック図である。
【図２９】「第４の実施の形態」における、管理サーバ１におけるマッチング処理のメインフローチャートを示す図である。
【図３０】「第４の実施の形態」における、検索装置２におけるマッチング通知処理の詳細を示すフローチャートを示す図である。
【符号の説明】
【０１２８】
１    管理サーバ
２    検索装置
３    携帯電話機
４    ＲＦＩＤタグ
５    登録端末装置
６    マッチングＤＢ
７ａ    登録処理プログラム
７ｂ    マッチング処理プログラム
７ｃ    通知処理プログラム
８    インターネット
９    インターネット
１０  ＣＰＵ
１１  ＲＡＭ
１２  ＲＯＭ
１３    Ｉ／Ｏインターフェース
１４    処理プログラム部
１５    通信制御インターフェース
１６    ハードディスク装置
１８    アンテナ
１９    通信制御部
２０  ＣＰＵ
２１  ＲＡＭ
２２  ＲＯＭ
２３    Ｉ／Ｏインターフェース
２４    ＲＦＩＤタグリーダ
２５    タグリーダ用アンテナ
２６    通信制御インターフェース
２７    処理プログラム部
２８    ハードディスク装置
２９    通信制御部
３１    マイク
３２    スピーカ
３３  ＬＣＤ
３４    キー
３５    アンテナ
４１    アンテナ部
４２    整流部
４３    電源部
４４    クロック抽出部
４５    メモリ部
４６    制御部
４６    変復調部
４７    制御部
５０    店舗
６０    ユーザ情報テーブル
６２    デマンド情報
６３    サプライ情報
７０    商品サービス情報テーブル
７２    サプライ情報
７６  地図情報
７８    位置情報
６０１，６０２，６０３  レコード
７０１  レコード
【図１】
2005165617.tif 000003
【図２】
2005165617.tif 000004
【図３】
2005165617.tif 000005
【図４】
2005165617.tif 000006
【図５】
2005165617.tif 000007
【図６】
2005165617.tif 000008
【図７】
2005165617.tif 000009
【図８】
2005165617.tif 000010
【図９】
2005165617.tif 000011
【図１０】
2005165617.tif 000012
【図１１】
2005165617.tif 000013
【図１２】
2005165617.tif 000014
【図１３】
2005165617.tif 000015
【図１４】
2005165617.tif 000016
【図１５】
2005165617.tif 000017
【図１６】
2005165617.tif 000018
【図１７】
2005165617.tif 000019
【図１８】
2005165617.tif 000020
【図１９】
2005165617.tif 000021
【図２０】
2005165617.tif 000022
【図２１】
2005165617.tif 000023
【図２２】
2005165617.tif 000024
【図２３】
2005165617.tif 000025
【図２４】
2005165617.tif 000026
【図２５】
2005165617.tif 000027
【図２６】
2005165617.tif 000028
【図２７】
2005165617.tif 000029
【図２８】
2005165617.tif 000030
【図２９】
2005165617.tif 000031
【図３０】
2005165617.tif 000032